(57)【特許請求の範囲】
【請求項１】
前接合部と後接合部と上接合部とを有する側壁分割片と、前接合部と後接合部と左接合部と右接合部とを有するアーチ形屋根分割片と、前接合部と後接合部と左接合部と右接合部と下接合部とを有するＹ字形屋根分割片と、前接合部と後接合部と上接合部とを有する脚部分割片と、を含む発泡ポリスチレンの分割片が備えられ、
最左端に設けられた側壁分割片の上接合部にアーチ形屋根分割片の左接合部が接合され、最右他端に設けられた側壁分割片の上接合部にアーチ形屋根分割片の右接合部が接合され、Ｙ字形屋根分割片の左接合部にアーチ形屋根分割片の右接合部が接合され、Ｙ字形屋根分割片の右接合部にアーチ形屋根分割片の左接合部が接合され、Ｙ字形屋根分割片の下接合部に脚部分割片の上接合部が接合され、必要に応じてＹ字形屋根分割片と脚部分割片とアーチ形屋根分割片が繰り返し接合されて、アーチ形の屋根が左右方向に延長されると共に、
側壁分割片とアーチ形屋根分割片とＹ字形屋根分割片と脚部分割片のそれぞれの後接合部に、後続の側壁分割片とアーチ形屋根分割片とＹ字形屋根分割片と脚部分割片の前接合部が接合されて、アーチ形の屋根が前後方向に延長され、
Ｙ字形屋根分割片の下接合部にはロールが設けられ、脚部分割片の上接合部には該ロールを受ける半円筒状の凹部が設けられることを特徴とする組立式建造物。
【発明の詳細な説明】
【技術分野】
【０００１】
本発明は、組立式建造物に係り、より詳細には、アーチ形の屋根を前後左右に延長できる発泡ポリスチレン部材からなる組立式建造物に関する。
【背景技術】
【０００２】
特許文献１に示されるように、発泡ポリスチレンは、ドーム形組立式ハウスの建築材として知られる。発泡ポリスチレンは、ブタンやペンタンなどの発泡剤を含んだポリスチレン樹脂を金型に入れて蒸気で約５０倍〜１００倍程度に膨張させたものである。大部分が空気のため、軽量で断熱性に優れ、また強度もある。
【０００３】
このような組立式ハウスは、複数の分割片を接着剤によって接合することにより組み立てられる。接合部分にはメッシュシートを貼り付け、その外側にはモルタル粉を樹脂塗料に分散させた下地材が塗布される。従来の組立式ハウスの形状はドーム形やかまぼこ形に限られたものであった。例えば、かまぼこ形組立式ハウスは、前後方向に長く延ばせるものの左右方向には延ばすことができなかった。例えば、かまぼこ形組立式ハウスを左右方向に幅を広げると、半円形の高さが極めて大きな建築物となってしまう。かまぼこ形組立式ハウスを左右方向に多数併設しても、左右方向を結ぶ連絡通路が鞍のような形となって、組付けが複雑になるとの問題があった。
【先行技術文献】
【特許文献】
【０００４】
【特許文献１】国際公開番号ＷＯ２００６／０９５４３０号
【発明の概要】
【発明が解決しようとする課題】
【０００５】
本発明の目的は、アーチ形の屋根を前後方向と左右方向に容易に延長できる組立式建造物を提供することにある。
【課題を解決するための手段】
【０００６】
本発明による組立式建造物は、前接合部と後接合部と上接合部とを有する側壁分割片と、前接合部と後接合部と左接合部と右接合部とを有するアーチ形屋根分割片と、前接合部と後接合部と左接合部と右接合部と下接合部とを有するＹ字形屋根分割片と、前接合部と後接合部と上接合部とを有する脚部分割片と、を含む発泡ポリスチレンの分割片が備えられ、最左端に設けられた側壁分割片の上接合部にアーチ形屋根分割片の左接合部が接合され、最右他端に設けられた側壁分割片の上接合部にアーチ形屋根分割片の右接合部が接合され、Ｙ字形屋根分割片の左接合部にアーチ形屋根分割片の右接合部が接合され、Ｙ字形屋根分割片の右接合部にアーチ形屋根分割片の左接合部が接合され、Ｙ字形屋根分割片の下接合部に脚部分割片の上接合部が接合され、必要に応じてＹ字形屋根分割片と脚部分割片とアーチ形屋根分割片が繰り返し接合されて、アーチ形の屋根が左右方向に延長されると共に、側壁分割片とアーチ形屋根分割片とＹ字形屋根分割片と脚部分割片のそれぞれの後接合部に、後続の側壁分割片とアーチ形屋根分割片とＹ字形屋根分割片と脚部分割片の前接合部が接合されて、アーチ形の屋根が前後方向に延長され、Ｙ字形屋根分割片の下接合部にはロールが設けられ、脚部分割片の上接合部には該ロールを受ける半円筒状の凹部が設けられることを特徴とする。
【発明の効果】
【０００８】
本発明の組立式建造物によれば、Ｙ字形屋根分割片とアーチ形屋根分割片を設けて、アーチ形屋根分割片をＹ字形屋根分割片に接合して延ばすことにより、アーチ形の屋根を左右方向に延長できる。Ｙ字形屋根分割片は、下接合部が脚部分割片の上接合部に接合されるので、アーチ形の屋根を堅固に支えることができる。また、側壁分割片とアーチ形屋根分割片とＹ字形屋根分割片と脚部分割片のそれぞれの後接合部に、後続のそれぞれの前接合部が接合されるので、アーチ形の屋根を前後方向にも延長することができる。これにより、前後方向と左右方向に長く広い内部空間を有する組立式建造物を提供できる。
【０００９】
Ｙ字形屋根分割片の下接合部にロールを設け、脚部分割片の上接合部に半円筒状の凹部を設けて該ロールを受けるようにしたので、Ｙ字形屋根分割片を回動させることにより、組立式建造物を平坦な地表面に限らず、傾斜面にも設置できる。また、Ｙ字形屋根分割片を現場の傾斜面角度に合わせて設計する手間が省ける。ロールを左ウィングと右ウィングで分けて設けるなら、例えば山から谷へ地表面が変化するような箇所にも組立式建造物を設置できる。
【図面の簡単な説明】
【００１０】
【図１】本発明による組立式建造物（３連）の断面図である。
【図２】図１の組立式建造物を構成する各分割片の斜視図であり、（Ａ）は側壁分割片１の斜視図、（Ｂ）はアーチ形屋根分割片２の斜視図、（Ｃ）は、Ｙ字形屋根分割片３の斜視図、（Ｄ）は、脚部分割片４の斜視図である。
【図３】図２の分割片の接合部の形態を示す説明図であり、（Ａ）は凹凸による接合、（Ｂ）は２つの凹部と突起体による接合、（Ｃ）は段部による接合である。
【図４】本発明による組立式建造物（３連）の外観図である。
【図５】本発明による組立式建造物（５連）の外観図である。
【図６】本発明による組立式建造物を斜面に設置した時の断面図である。
【図７】Ｙ字形屋根分割片が脚部分割片に対して回動可能な構成図である。
【図８】Ｙ字形屋根分割片の左右ウィングのそれぞれが脚部分割片に対して回動可能とした構成図である。
【発明を実施するための形態】
【００１１】
以下、図面を参照して、本発明による組立式建造物について説明する。
【実施例】
【００１２】
図１は、本発明による組立式建造物１００の断面図である。図１の組立式建造物１００は左右方向に３連の構成である。図１に示すように、組立式建造物１００は、最左端と最右端に設けられる側壁分割片１、アーチ形屋根分割片２、Ｙ字形屋根分割片３、Ｙ字形屋根分割片３の下部に取り付けられる脚部分割片４からなる。地表面２０は水平とした。このような構成によってアーチ形の屋根を左右方向に延長できる。外殻半径Ｒは、例として３８５０ｍｍの場合と４８５０ｍｍの場合がある。これに対応して２種類の寸法の側壁分割片１、アーチ形屋根分割片２、Ｙ字形屋根分割片３、脚部分割片４を用意した。また、各分割片は、発泡ポリスチレン部材で形成され、その厚さは約２００ｍｍである。外殻半径Ｒは３．５〜５．０ｍが望ましい。
【００１３】
図２は、図１の組立式建造物１００を構成する各分割片の斜視図であり、（Ａ）は側壁分割片１の斜視図、（Ｂ）はアーチ形屋根分割片２の斜視図、（Ｃ）は、Ｙ字形屋根分割片３の斜視図、（Ｄ）は、脚部分割片４の斜視図である。側壁分割片１は、前接合部１ａ、上接合部１ｂ、後接合部１ｃが、他の分割片と接着剤で接合される。足１ｄが、地表面もしくは基礎に接する。アーチ形屋根分割片２は、左右方向にアーチ形の屋根で、前接合部２ａ、左接合部２ｂ、後接合部２ｃ、右接合部２ｄが、他の分割片と接着剤で接合される。Ｙ字形屋根分割片３は、前接合部３ａ、左接合部３ｂ、後接合部３ｃ、右接合部３ｄ、下接合部３ｅが、他の分割片と接着剤で接合される。脚部分割片４は、Ｙ字形屋根分割片３の下部を支える２つの脚があり、この２つの脚の間が通り抜け孔７である。足４ｄが、地表面もしくは基礎に接する。脚部分割片４は、前接合部４ａ、上接合部４ｂ、後接合部４ｃが、他の分割片と接着剤で接合される。なお、側壁分割片１は、左右方向の一端と他端で同じものが使用できる。図２では、一端の側壁分割片１しか示していないが、他端の側壁分割片は、（Ａ）に示す側壁分割片１の前接合部１ａと後接合部１ｃを入れ替えた形になる。
【００１４】
Ｙ字形屋根分割片３は脚部分割片４と一体となるように形成してもよい。その場合、Ｙ字形屋根分割片３の下接合部３ｅと脚部分割片４の上接合部４ｂとの接合工事が省略できる。また、Ｙ字形屋根分割片３は、寸法が左右方向に大きくなる場合には、例えば左ウィングまたは右ウィングを切り離し、２つの分割片から構成するようにしてもよい。
【００１５】
図３は、図２の接合部の形態を示す説明図であり、（Ａ）は凹凸による接合、（Ｂ）は２つの凹部と突起体２１による接合、（Ｃ）は段部による接合である。これらは、接合する箇所に応じて選択することができる。本実施例では、Ｙ字形屋根分割片３の左接合部３ｂと右接合部３ｄは凹部とし、アーチ形屋根分割片２の左接合部２ｂと右接合部２ｄは凸部とした。
【００１６】
図４は、本発明による組立式建造物（３連）の外観図である。外殻半径Ｒが、３８５０ｍｍとなる分割片を使用し、前後方向に１０個の分割片を接合している。この場合、左右方向の幅が約１９ｍ、前後方向の幅が約２０ｍとなる。地表面から内側天井までの高さは３６５０ｍｍである。外殻半径Ｒが４８５０ｍｍとなる分割片を使用し、前後方向に１３個の分割片を接合した場合、左右方向の幅が約２６ｍ、前後方向の幅も約２６ｍとなる。地表面から内側天井までの高さは４６５０ｍｍである。このように組立式建造物の内部には、左右方向と前後方向に長さのある広い空間が形成できる。図５には示していないが、前後方向の前端と後端に壁やドアが設けられてもよい。
【００１７】
図５は、本発明による組立式建造物（５連）の外観図である。外殻半径Ｒが３８５０ｍｍとなる分割片を使用し、前後方向に１５個の分割片を接合している。この場合、左右方向の幅が約３０ｍ、前後方向の幅も約３０ｍとなる。外殻半径Ｒが４８５０ｍｍとなる分割片を使用し、前後方向に２０個の分割片を接合した場合、左右方向の幅が約４２ｍ、前後方向の幅が約４０ｍとなる。
【００１８】
図６は、本発明による組立式建造物１００を登り斜面に設置した時の断面図である。脚部分割片４は、斜面に対して垂直ではなく、水平方向に対して垂直としている。そのため、引出し円Ｃ１に示すように、斜面用のＹ字形屋根分割片３は、標準の水平な地表面用のＹ字形屋根分割片３と比較して、左ウィング３ｌｗをより下向きに曲げ、右ウィング３ｒｗをより上向きに曲げている。曲げる角度は、地表面の傾斜角度に基づいて決められる。また、左ウィング３ｌｗの高さｈ１は、右ウィング３ｒｗの高さｈ２より低い。このようなＹ字形屋根分割片３を使用することにより、組立式建造物１００を傾斜面にも設置できる。降り斜面用のＹ字形屋根分割片３は、登り斜面用のＹ字形屋根分割片３とは逆になる。傾斜角度が同じなら、同じＹ字形屋根分割片３が使用できる。
【００１９】
図７は、Ｙ字形屋根分割片３が脚部分割片４に対して回動可能とした構成図である。Ｙ字形屋根分割片３の下接合部３ｅにはロール８が設けられ、脚部分割片４の上接合部４ｂには半円筒状凹部９が設けられる。引出し円Ｃ１に示すように、Ｙ字形屋根分割片３を脚部分割片４に対して水平にして、接着剤で接合することにより、水平な地表面２０での組立式建造物の設置ができる。引出し円Ｃ２に示すように、Ｙ字形屋根分割片３を脚部分割片４に対して右上がり状態にして接合することにより、上り斜面での組立式建造物の設置ができる。引出し円Ｃ３に示すように、Ｙ字形屋根分割片３を脚部分割片４に対して右下がり状態にして接合することにより、下り斜面での組立式建造物の設置ができる。
【００２０】
図８は、Ｙ字形屋根分割片３の左ウィングと右ウィングが脚部分割片４に対して個別に回動可能とした構成図である。左ウィング３ｌｗと右ウィング３ｒｗの下接合部に、ロール８が軸方向に互い違いとなるように設けられ、脚部分割片４の上接合部にはロール８を受ける半円筒状凹部９が設けられる。これによれば、左ウィング３ｌｗと右ウィング３ｒｗを個別に回動して接合できる。引出し円Ｃ１に示すように、左ウィング３ｌｗと右ウィング３ｒｗを脚部分割片４に対して水平にして、接着剤で接合することにより、水平な地表面２０での組立式建造物の設置ができる。引出し円Ｃ２に示すように、左ウィング３ｌｗを脚部分割片４に対して水平にして接合し、右ウィング３ｒｗを脚部分割片４に対して右下がり状態にして接合することにより、水平から右方向に下る斜面にも組立式建造物を設置できる。引出し円Ｃ３に示すように、左ウィング３ｌｗを脚部分割片４に対して水平にして接合し、右ウィング３ｒｗを脚部分割片４に対して右上がり状態にして接合することにより、水平から右方向に上がる斜面にも組立式建造物を設置できる。このように地表面が谷から山に、山から谷に変化するような地表面であっても、これに合わせて組立式建造物１００を設置できる。
【産業上の利用可能性】
【００２１】
本発明による組立式建造物は、アーチ形の屋根を前後左右に延長できるので、植物工場、機械工場、食品工場に適している。発泡ポリスチレンは断熱効果が優れるので大型備蓄倉庫にも適している。また、砂漠地帯のような場所にも容易に設置できる。
【符号の説明】
【００２２】
１    側壁分割片
１ａ    前接合部
１ｂ    上接合部
１ｃ    後接合部
１ｄ    足
２    アーチ形屋根分割片
２ａ    前接合部
２ｂ    左接合部
２ｃ    後接合部
２ｄ    右接合部
３    Ｙ字形屋根分割片
３ａ    前接合部
３ｂ    左接合部
３ｃ    後接合部
３ｄ    右接合部
３ｅ    下接合部
４    脚部分割片
４ａ    前接合部
４ｂ    上接合部
４ｃ    後接合部
４ｄ    足
７    通り抜け孔
８    ロール
９    半円筒状凹部
２０    地表面
２１    突起体
３ｌｗ    左ウィング
３ｒｗ    右ウィング
１００    組立式建造物
【図１】
0005787628.tif 000002
【図２】
0005787628.tif 000003
【図３】
0005787628.tif 000004
【図４】
0005787628.tif 000005
【図５】
0005787628.tif 000006
【図６】
0005787628.tif 000007
【図７】
0005787628.tif 000008
【図８】
0005787628.tif 000009